(57)【要約】  【課題】遊技媒体の貸与に使用されなかった残額をカードに記録して遊技者に対して返却するにあたり、該カードに記録された残額を書き換えるような不正が行われた場合にも遊技場側に損害が発生することを防止できる遊技用システムを提供する。  【解決手段】カードユニット２０は入金残額と入金ＩＤを精算カード５に記録し、精算装置６０が該精算カード５から読み取ったカード残額と入金ＩＤを含む精算許諾要求をシステムコンピュータ５０に送信し、制御部５２が受信したカード残額が、受信した入金ＩＤと対応付けてハードディスク５３が記憶している残額以下であると判定したことを条件として精算許諾情報を精算装置に送信し、精算装置が読み取ったカード残額に対応する金額の貨幣を払い出す。【選択図】        図１
2005118167.tif 000002
【特許請求の範囲】
【請求項１】
遊技機に対応して設けられ、
貨幣を受け付ける貨幣受付手段と、
該貨幣受付手段により受け付けた貨幣の金額の少なくとも一部に相当する受付有価価値の大きさを遊技用装置外部に送信する受付価値情報送信手段と、
前記受付有価価値の大きさを記憶する第１の受付価値記憶手段と、
該第１の受付価値記憶手段により記憶された受付有価価値の大きさの範囲内における所定の大きさの有価価値に相当する遊技媒体を貸与するための貸与処理を行う貸与処理手段と、
該貸与処理手段により貸与処理に使用される貸与有価価値の大きさを前記第１の受付価値記憶手段に記憶された有価価値の大きさから減算する第１の減算手段と、を有する遊技用装置と、
該遊技用装置と通信可能であり、
前記受付価値情報送信手段から受信した受付有価価値の大きさを特定するための受付価値識別情報を生成する受付価値識別情報生成手段と、
前記受信した受付有価価値の大きさと、前記受付価値識別情報生成手段により生成された受付価値識別情報とを対応付けて記憶する第２の受付価値記憶手段と、
前記受付価値識別情報生成手段により生成された受付価値識別情報を、前記受付有価価値の大きさの送信元である遊技用装置に対して送信する受付価値識別情報送信手段と、を有する管理装置と、
を備える遊技用システムであって、
前記遊技用装置は、
前記受付価値識別情報送信手段から受信した受付価値識別情報を記憶する受付価値識別情報記憶手段と、
前記貸与処理手段により貸与処理に使用される貸与有価価値の大きさを該受付価値識別情報記憶手段に記憶された受付価値識別情報と共に前記管理装置に送信する貸与価値送信手段と、をさらに有し、
前記管理装置は、前記貸与価値送信手段から受信した受付価値識別情報と対応付けて前記第２の受付価値記憶手段に記憶された有価価値の大きさから前記貸与有価価値の大きさを減算する第２の減算手段をさらに有し、
前記遊技用装置は、遊技用装置外部から精算用記録媒体を受け付けたときに、該受け付けた精算用記録媒体に、前記第１の受付価値記憶手段に記憶している有価価値の大きさと、前記受付価値識別情報記憶手段に記憶している受付価値識別情報とを記録する処理を行う記録手段をさらに有し、
前記遊技用システムは、前記管理装置と通信可能であり、前記精算用記録媒体を受け付けたときに、該受け付けた精算用記録媒体から読み取った有価価値の大きさと、受付価値識別情報とを含む精算許諾要求を前記管理装置に対して送信する精算許諾要求送信手段を有する精算装置をさらに備え、
前記管理装置は、
前記精算許諾要求送信手段から受信した精算許諾要求に含まれる有価価値の大きさが、該受信した精算許諾要求に含まれる受付価値識別情報と対応付けて前記第２の受付価値記憶手段に記憶されている有価価値の大きさ以下であるか否かを判定する判定手段と、
該判定手段により、前記精算許諾要求送信手段から受信した精算許諾要求に含まれる有価価値の大きさが、該受信した精算許諾要求に含まれる受付価値識別情報と対応付けて前記第２の受付価値記憶手段に記憶されている有価価値の大きさ以下であると判定されたことを条件として、精算を許諾する旨を示す精算許諾情報を前記精算許諾要求の送信元である精算装置に対して返信する精算許諾情報返信手段と、をさらに有し、
前記精算装置は、該精算許諾情報返信手段から精算許諾情報を受信したことを条件として、前記受け付けた精算用記録媒体から読み取った有価価値の大きさに相当する金額の貨幣を遊技者に返却することを特徴とする遊技用システム。
【請求項２】
請求項１に記載した遊技用システムであって、
前記遊技用装置は、
前記有価価値の大きさ及び受付価値識別情報が記録された精算用記録媒体を受け付けたときに、該受け付けた精算用記録媒体から読み取った有価価値の大きさと、受付価値識別情報とを含む貸与許諾要求を前記管理装置に対して送信する貸与許諾要求送信手段をさらに有し、
前記管理装置は、
前記貸与許諾要求送信手段から受信した貸与許諾要求に含まれる有価価値の大きさが、該受信した貸与許諾要求に含まれる受付価値識別情報と対応付けて前記第２の受付価値記憶手段に記憶されている有価価値の大きさ以下であるか否かを前記判定手段により判定し、
該判定手段により、前記貸与許諾要求送信手段から受信した貸与許諾要求に含まれる有価価値の大きさが、該受信した貸与許諾要求に含まれる受付価値識別情報と対応付けて前記第２の受付価値記憶手段に記憶されている有価価値の大きさ以下であると判定されたことを条件として、前記遊技媒体の貸与を許諾する旨を示す貸与許諾情報を前記貸与許諾要求の送信元である遊技用装置に対して返信する貸与許諾情報返信手段をさらに有し、
前記遊技用装置は、該貸与許諾情報返信手段から貸与許諾情報を受信したことを条件として、前記受け付けた精算用記録媒体から読み取った有価価値の大きさの範囲内における所定の大きさの有価価値に相当する遊技媒体を貸与するための記録媒体貸与処理を前記貸与処理手段により行うことを特徴とする遊技用システム。
【請求項３】
請求項１又は２に記載した遊技用システムであって、
前記遊技用装置は、
前記管理装置と通信不能な状態で、前記精算用記録媒体を受け付けたときに、該受け付けた精算用記録媒体に、前記第１の受付価値記憶手段に記憶している有価価値の大きさと、前記受付価値識別情報記憶手段に記憶している受付価値識別情報と共に、前記管理装置と通信不能な状態である旨を示す通信不能情報を記録する処理を前記記録手段により行い、
前記精算装置は、該通信不能情報が記録された精算用記録媒体を受け付けたときに、該受け付けた精算用記録媒体から読み取った通信不能情報をさらに含む精算許諾要求を前記精算許諾要求送信手段により前記管理装置に対して送信し、
前記管理装置は、該通信不能情報を含む精算許諾要求に含まれる有価価値の大きさを集計する集計手段をさらに有することを特徴とする遊技用システム。
【請求項４】
請求項１〜３のいずれか１つに記載した遊技用システムであって、
前記遊技用装置と前記管理装置が通信不能な状態である旨を報知する報知手段をさらに備えることを特徴とする遊技用システム。
【発明の詳細な説明】
【技術分野】
【０００１】
本発明は、貨幣を受け付けて遊技媒体を貸与する遊技用システムに係り、特に遊技媒体の貸与に使用されなかった残額を遊技者に返却可能な遊技用システムに関する。
【背景技術】
【０００２】
従来より、例えば特許文献１に示すように、遊技機に対応して設けられ、貨幣及びプリペイドカードを受け付けて遊技媒体を貸与するための貸与処理を行う玉貸ユニットとして、貨幣による入金に基づいて遊技媒体の貸与が行われた場合に遊技媒体の貸与に使用されなかった残額が有れば該残額を記録したカードが遊技者に対して発行されるものが知られている。これによれば、該発行されたカードが他の玉貸ユニットで受け付けられることにより、該受け付けられたカードに記録された残額を使用して、他の遊技機での遊技が可能となる。
【０００３】
また最近では、貨幣による入金に基づいて遊技媒体の貸与に使用されなかった残額を記録したカード（例えば精算カード）を受け取った遊技者が、該カードを遊技場内に設けられた精算装置に挿入して（あるいは該カードを遊技場のカウンタに持参して）、該カードに記録された残額に相当する貨幣を受け取ることが可能な遊技用システムも知られている。
【０００４】
【特許文献１】特開２００２−３６０９１０号公報（第４頁，図１）
【発明の開示】
【発明が解決しようとする課題】
【０００５】
しかしながら、上記従来の遊技用システムでは、カードに記録された残額が書き換えられる等の不正が行われた場合に、精算装置等において該カードに記録された残額に相当する貨幣を払い出すことによって遊技場側に損失が発生するという問題があった。
【０００６】
本発明は、このような背景のもとになされたものであり、その目的は、貨幣による入金に基づいて遊技媒体の貸与が行われた場合に、遊技媒体の貸与に使用されなかった有価価値の大きさである残額をカードに記録して遊技者に対して返却するにあたり、カードに記録された残額を書き換えるような不正が行われた場合にも遊技場側に損害が発生することを防止できる遊技用システムを提供することにある。
【課題を解決するための手段】
【０００７】
本発明は、前記課題を解決するために、次のような手段を採る。なお後述する発明を実施するための最良の形態の説明及び図面で使用した符号を参考のために括弧書きで付記するが、本発明の構成要素は該付記したものには限定されない。
【０００８】
まず請求項１に係る発明は、遊技機（パチンコ機１０）に対応して設けられ、貨幣（紙幣２，硬貨３）を受け付ける貨幣受付手段（紙幣識別機２３，硬貨識別機２４）と、該貨幣受付手段により受け付けた貨幣の金額（入金された金額）の少なくとも一部に相当する受付有価価値の大きさ（入金された金額）を遊技用装置外部に送信する受付価値情報送信手段（システムコンピュータ用通信部２１ａ）と、前記受付有価価値の大きさを記憶する第１の受付価値記憶手段（封入カード４）と、該第１の受付価値記憶手段により記憶された受付有価価値の大きさの範囲内における所定の大きさの有価価値（玉貸設定金額）に相当する遊技媒体（パチンコ玉）を貸与するための貸与処理（玉貸処理）を行う貸与処理手段（制御部２２）と、該貸与処理手段により貸与処理に使用される貸与有価価値の大きさ（使用金額）を前記第１の受付価値記憶手段に記憶された有価価値の大きさ（入金残額）から減算する第１の減算手段（制御部２２）と、を有する遊技用装置（カードユニット２０）と、該遊技用装置と通信可能であり、前記受付価値情報送信手段から受信した受付有価価値の大きさを特定するための受付価値識別情報（入金ＩＤ）を生成する受付価値識別情報生成手段（制御部５２）と、前記受信した受付有価価値の大きさと、前記受付価値識別情報生成手段により生成された受付価値識別情報とを対応付けて記憶する第２の受付価値記憶手段（ハードディスク５３）と、前記受付価値識別情報生成手段により生成された受付価値識別情報を、前記受付有価価値の大きさの送信元である遊技用装置に対して送信する受付価値識別情報送信手段（通信部５１）と、を有する管理装置（システムコンピュータ５０）と、を備える遊技用システム（１）であって、前記遊技用装置は、前記受付価値識別情報送信手段から受信した受付価値識別情報を記憶する受付価値識別情報記憶手段（封入カード４）と、前記貸与処理手段により貸与処理に使用される貸与有価価値の大きさを該受付価値識別情報記憶手段に記憶された受付価値識別情報と共に前記管理装置に送信する貸与価値送信手段（システムコンピュータ用通信部２１ａ）と、をさらに有し、前記管理装置は、前記貸与価値送信手段から受信した受付価値識別情報と対応付けて前記第２の受付価値記憶手段に記憶された有価価値の大きさ（残額）から前記貸与有価価値の大きさを減算する第２の減算手段（制御部５２）をさらに有し、前記遊技用装置は、遊技用装置外部から精算用記録媒体（精算カード５）を受け付けたときに、該受け付けた精算用記録媒体に、前記第１の受付価値記憶手段に記憶している有価価値の大きさ（入金残額）と、前記受付価値識別情報記憶手段に記憶している受付価値識別情報とを記録する処理を行う記録手段（精算カードＲ／Ｗ２６）をさらに有し、前記遊技用システムは、前記管理装置と通信可能であり、前記精算用記録媒体を受け付けたときに、該受け付けた精算用記録媒体から読み取った有価価値の大きさと、受付価値識別情報とを含む精算許諾要求を前記管理装置に対して送信する精算許諾要求送信手段（通信部６１）を有する精算装置（６０）をさらに備え、前記管理装置は、前記精算許諾要求送信手段から受信した精算許諾要求に含まれる有価価値の大きさが、該受信した精算許諾要求に含まれる受付価値識別情報と対応付けて前記第２の受付価値記憶手段に記憶されている有価価値の大きさ以下であるか否かを判定する判定手段（制御部５２）と、該判定手段により、前記精算許諾要求送信手段から受信した精算許諾要求に含まれる有価価値の大きさが、該受信した精算許諾要求に含まれる受付価値識別情報と対応付けて前記第２の受付価値記憶手段に記憶されている有価価値の大きさ以下であると判定されたことを条件として、精算を許諾する旨を示す精算許諾情報を前記精算許諾要求の送信元である精算装置に対して返信する精算許諾情報返信手段（通信部５１）と、をさらに有し、前記精算装置は、該精算許諾情報返信手段から精算許諾情報を受信したことを条件として、前記受け付けた精算用記録媒体から読み取った有価価値の大きさに相当する金額の貨幣を遊技者に返却することを特徴とする遊技用システムである。
【０００９】
また請求項２に係る発明は、請求項１に記載した遊技用システム（１）であって、前記遊技用装置（カードユニット２０）は、前記有価価値の大きさ及び受付価値識別情報（入金ＩＤ）が記録された精算用記録媒体（精算カード５）を受け付けたときに、該受け付けた精算用記録媒体から読み取った有価価値の大きさ（カード残額）と、受付価値識別情報とを含む貸与許諾要求を前記管理装置（システムコンピュータ５０）に対して送信する貸与許諾要求送信手段（システムコンピュータ用通信部２１ａ）をさらに有し、前記管理装置は、前記貸与許諾要求送信手段から受信した貸与許諾要求に含まれる有価価値の大きさが、該受信した貸与許諾要求に含まれる受付価値識別情報と対応付けて前記第２の受付価値記憶手段（ハードディスク５３）に記憶されている有価価値の大きさ（残額）以下であるか否かを前記判定手段（制御部５２）により判定し、該判定手段により、前記貸与許諾要求送信手段から受信した貸与許諾要求に含まれる有価価値の大きさが、該受信した貸与許諾要求に含まれる受付価値識別情報と対応付けて前記第２の受付価値記憶手段に記憶されている有価価値の大きさ以下であると判定されたことを条件として、前記遊技媒体（パチンコ玉）の貸与を許諾する旨を示す貸与許諾情報を前記貸与許諾要求の送信元である遊技用装置に対して返信する貸与許諾情報返信手段（通信部５１）をさらに有し、前記遊技用装置は、該貸与許諾情報返信手段から貸与許諾情報を受信したことを条件として、前記受け付けた精算用記録媒体から読み取った有価価値の大きさの範囲内における所定の大きさの有価価値に相当する遊技媒体を貸与するための記録媒体貸与処理（精算カード５を使用した玉貸処理）を前記貸与処理手段（制御部２２）により行うことを特徴とする遊技用システムである。
【００１０】
また請求項３に係る発明は、請求項１又は２に記載した遊技用システム（１）であって、前記遊技用装置（カードユニット２０）は、前記管理装置（システムコンピュータ５０）と通信不能な状態で、前記精算用記録媒体（精算カード５）を受け付けたときに、該受け付けた精算用記録媒体に、前記第１の受付価値記憶手段（封入カード４）に記憶している有価価値の大きさ（入金残額）と、前記受付価値識別情報記憶手段に記憶している受付価値識別情報（入金ＩＤ）と共に、前記管理装置と通信不能な状態である旨を示す通信不能情報を記録する処理を前記記録手段（精算カードＲ／Ｗ２６）により行い、前記精算装置（６０）は、該通信不能情報が記録された精算用記録媒体を受け付けたときに、該受け付けた精算用記録媒体から読み取った通信不能情報をさらに含む精算許諾要求を前記精算許諾要求送信手段（通信部６１）により前記管理装置に対して送信し、前記管理装置は、該通信不能情報を含む精算許諾要求に含まれる有価価値の大きさを集計する集計手段（制御部５２）をさらに有することを特徴とする遊技用システムである。
【００１１】
さらに請求項４に係る発明は、請求項１〜３のいずれか１つに記載した遊技用システム（１）であって、前記遊技用装置（カードユニット２０）と前記管理装置（システムコンピュータ５０）が通信不能な状態である旨を報知する報知手段（ディスプレイ５４）をさらに備えることを特徴とする遊技用システムである。
【発明の効果】
【００１２】
まず請求項１に係る遊技用システムによれば、遊技媒体の貸与に使用されなかった有価価値の大きさである残額を遊技者に対して返却するにあたり、精算用記録媒体から読み取った有価価値の大きさが、該精算用記録媒体から読み取った受付価値識別情報と対応付けて管理装置側で記憶されている有価価値の大きさ以下であると判定されたことを条件として精算を許諾するので、精算用記録媒体に記録された有価価値の大きさを書き換える等の不正が行われた場合にも、遊技場側に損害が発生することを防止できる。
【００１３】
また請求項２に係る遊技用システムによれば、精算用記録媒体に記録されている有価価値の大きさを使用した記録媒体貸与処理が可能なので、遊技者が他の遊技機で遊技を行う際に、一旦精算を行って該精算により得た貨幣を再び入金するという手間が省け、遊技者の利便性を向上できる。
【００１４】
また請求項３に係る遊技用システムによれば、精算装置において精算された有価価値の大きさのうち、管理装置と遊技用装置とが通信不能な状態において精算用記録媒体に記録された有価価値の大きさを集計し、把握することができるので、遊技用装置が通信不能な状態のときに行われたおそれのある不正発見や不正防止に役立てることができる。
【００１５】
さらに請求項４に係る遊技用システムによれば、遊技用装置と管理装置が通信不能な状態である旨を報知するので、遊技場の店員が該通信不能な状態である旨を確認することにより迅速な対応を行うことができる。
【発明を実施するための最良の形態】
【００１６】
以下、本発明の実施の形態を、図面を参照して説明する。本発明に係る遊技用システム１は、図１に示すように、遊技機（パチンコ機１０）に対応して設けられた遊技用装置（カードユニット２０）において、貨幣（紙幣２及び／又は硬貨３）を受け付けて遊技媒体（パチンコ玉）を貸与可能であると共に、管理装置（システムコンピュータ５０）と通信可能な精算装置６０において、精算用記録媒体（精算カード５）を受け付けて前記遊技媒体の貸与に使用されなかった残額を遊技者に返却可能なものであり、特に該残額を遊技者に対して返却可能とするにあたり、精算装置６０が精算用記録媒体（精算カード５）から読み取った有価価値の大きさ（カード残額）が、同じく該精算用記録媒体（精算カード５）から読み取った受付価値識別情報（入金ＩＤ）と対応付けて管理装置側で記憶している有価価値の大きさ（残額）以下であるか否かを判定することを特徴とするものである。なお、以下においては、リーダ／ライタを「Ｒ／Ｗ」と略記する。
【００１７】
本発明に係る遊技用システム１は、図１に示すように、パチンコ機１０に対応して設けられるカードユニット２０と、複数のカードユニット２０と通信可能なシステムコンピュータ５０と、該システムコンピュータ５０と通信可能な精算装置６０と、を備えている。この遊技用システム１では、紙幣２，硬貨３，封入カード４，及び精算カード５が使用される。
【００１８】
紙幣２は貨幣の一例であって、ここでは図２に示すように、1000円紙幣，2000円紙幣，5000円紙幣，及び10000円紙幣の４種類の紙幣である。また硬貨３も貨幣の一例であって、ここでは図２に示すように、100円硬貨，及び500円硬貨の２種類の硬貨である。
【００１９】
封入カード４は第１の受付価値記憶手段の一例であって、後述する紙幣識別機２３又は硬貨識別機２４により受け付けられた（即ち入金された）紙幣２又は硬貨３の金額の少なくとも一部に相当する受付有価価値の大きさを記憶するものである。また、封入カード４は受付価値識別情報記憶手段の一例であって、後述するシステムコンピュータ５０の通信部５１から受信した受付価値識別情報（入金ＩＤ）を記憶する。本実施形態では、受付有価価値の大きさは入金された金額であって、図４に示すように、該入金された金額が入金残額として受付価値識別情報である入金ＩＤと対応付けて、記録（記憶）される。
【００２０】
この封入カード４は、長方形状を呈するプラスチック製の薄板における所定の部位に、入金ＩＤや入金残額等が記録される記録領域（図示外）が形成されてなるものであり、ここでは該記録領域として不揮発性のＥＥＰＲＯＭを備える非接触式の集積回路を搭載したＩＣカードである。この封入カード４は、遊技者が指触不能な態様でカードユニット２０の内部に封入されている。
【００２１】
精算カード５は精算用記録媒体の一例であって、有価価値の大きさと、受付価値識別情報（入金ＩＤ）が記録されるものであり、ここでは図４に示すように、後述する入金ＩＤと対応付けて、該有価価値の大きさであるカード残額が記録される。この精算カード５も、長方形状を呈するプラスチック製の薄板における所定の部位に、入金ＩＤやカード残額等が記録される記録領域（図示外）が形成されてなるものであり、ここでは該記録領域として不揮発性のＥＥＰＲＯＭを備える非接触式の集積回路を搭載したＩＣカードである。この精算カード５は、入金ＩＤ及びカード残額が記録されていない状態で遊技場の店員により発行され、カードユニット２０に挿入されて使用される。
【００２２】
カードユニット２０は遊技用装置の一例であって、図１及び図２（ａ）に示すように、パチンコ機１０に対応して（ここではパチンコ機１０の左側に隣接して）設けられている。ここでパチンコ機１０は遊技機の一例であって、遊技場における遊技島（図示外）において機種等に従って所定の位置に配置され、遊技媒体であるパチンコ玉を遊技領域に打ち込むことにより遊技を行うものであり、ここでは対応するカードユニット２０と通信可能であり、該カードユニット２０との間でパチンコ玉の貸与に関する信号のやり取りが行われて玉貸処理が行われる、いわゆるＣＲ式のパチンコ機である。
【００２３】
このパチンコ機１０は、図２（ａ）に示すように、その前面に遊技領域，上皿，下皿，及び発射ハンドル等を備えると共に、残度数表示器１４，玉貸ボタン１５，及び精算カード返却ボタン１６を備え、図１に示すように、その内部に遊技制御基板１１，払出制御基板１２，及び玉払出装置１３等を備えており、これらの各構成要素は図１に示すように接続されている。
【００２４】
遊技制御基板１１は、パチンコ機１０における遊技状態を制御するものである。払出制御基板１２は、カードユニット２０の後述する玉貸通信部２１ｂと通信可能に接続され、パチンコ機１０とカードユニット２０との間における通信を司るものである。これにより、玉貸処理が行われる場合に、パチンコ機１０とカードユニット２０との間でパチンコ玉の貸出に関する信号のやり取りが行われる。また払出制御基板１２は、玉払出装置１３と接続され、該玉払出装置１３を制御するものである。さらに払出制御基板１２は、残度数表示器１４，玉貸ボタン１５，及び精算カード返却ボタン１６とも接続されている。玉払出装置１３は、玉貸処理が行われて遊技者に貸し出されたパチンコ玉や、遊技の結果として遊技者に付与されるパチンコ玉（いわゆる賞球）を払い出すものである。ここで残度数表示器１４，玉貸ボタン１５，及び精算カード返却ボタン１６は、パチンコ機１０の前面に配置されているものであるが、前記払出制御基板１２を介してカードユニット２０と通信可能に接続されているため、カードユニット２０に属するものである。
【００２５】
残度数表示器１４は、封入カード４に記録された入金残額に相当する残度数又は精算カード５に記録されたカード残額に相当する残度数を表示するための表示器である。ここで残度数は、入金残額やカード残額が所定の比率で変換されたもの（例えば１００円＝１度数）である。玉貸ボタン１５は、封入カード４に記録された入金残額又は精算カード５に記録されたカード残額を使用した玉貸操作を受け付けるボタンである。精算カード返却ボタン１６は、後述する精算カードＲ／Ｗ２６により受け付けている精算カード５を遊技者に返却するための返却操作を受け付けるボタンである。
【００２６】
カードユニット２０は、縦長の箱型の形状を呈するものであり、図２（ａ）に示すように、その前面に多機能ランプ２７，紙幣挿入口２３ａ，硬貨挿入口２４ａ，硬貨返却ボタン２４ｅ，硬貨返却口２４ｆ，封入カード確認窓２５ａ，及び精算カード挿入口２６ａ等を備え、図２（ｂ）及び図２（ｃ）に示すように、その内部に紙幣識別機２３，システムコンピュータ用通信部２１ａ，玉貸通信部２１ｂ，制御部２２，硬貨識別機２４，封入カードＲ／Ｗ２５，精算カードＲ／Ｗ２６，及び精算カード回収部２６ｂ等を備えており、これらの各構成要素は図１に示すように接続されている。
【００２７】
システムコンピュータ用通信部２１ａは、後述するシステムコンピュータ５０の通信部５１と通信可能に接続されており、カードユニット２０とシステムコンピュータ５０との間における通信を司るものである。このシステムコンピュータ用通信部２１ａは受付価値情報送信手段の一例であって、前記受付有価価値の大きさ（入金された金額）をカードユニット２０外部のシステムコンピュータ５０に送信する。また、システムコンピュータ用通信部２１ａは貸与価値送信手段の一例であって、後述する貸与処理手段（制御部２２）により貸与処理（玉貸処理）に使用される貸与有価価値の大きさ（使用金額）を封入カード４に記憶された受付価値識別情報（入金ＩＤ）と共にシステムコンピュータ５０に送信する。さらに、システムコンピュータ用通信部２１ａは貸与許諾要求送信手段の一例であって、カード残額及び受付価値識別情報（入金ＩＤ）が記録された精算カード５を受け付けたときに、該受け付けた精算カード５から読み取ったカード残額と、該受け付けた精算カード５から読み取った受付価値識別情報（入金ＩＤ）とを含む貸与許諾要求をシステムコンピュータ５０に対して送信する。
【００２８】
玉貸通信部２１ｂは、前述の如くパチンコ機１０の払出制御基板１２と通信可能に接続されている。
【００２９】
制御部２２は、ＣＰＵ，ＲＡＭ，ＲＯＭ等を備えており、ＲＯＭに記憶されている処理プログラムがＲＡＭを作業領域としてＣＰＵで実行されることにより、カードユニット２０に備えられる各構成要素の動作を制御して各種の処理を行うものである。この制御部２２は貸与処理手段の一例であって、前記第１の受付価値記憶手段（封入カード４）により記憶された受付有価価値の大きさ（入金された金額）の範囲内における所定の大きさの有価価値（玉貸設定金額）に相当する遊技媒体（パチンコ玉）を貸与するための貸与処理（玉貸処理）を行うものであり、具体的には、玉貸ボタン１５が操作されて玉貸操作を受け付けたときに、封入カード４に記録された入金残額と予め設定された玉貸設定金額（例えば５００円）とを比較して、入金残額≧玉貸設定金額であれば該玉貸設定金額に相当するパチンコ玉の払出を払出制御基板１２に対して指示する処理を行い、入金残額＜玉貸設定金額であれば該入金残額に相当するパチンコ玉の払出を払出制御基板１２に対して指示する処理を行う。
【００３０】
また貸与処理手段として機能する制御部２２は、後述する貸与許諾情報返信手段（通信部５１）から遊技媒体（パチンコ玉）の貸与を許諾する旨を示す貸与許諾情報を受信したことを条件として、受け付けた精算カード５から読み取った有価価値の大きさ（カード残額）の範囲内における所定の大きさの有価価値（玉貸設定金額）に相当する遊技媒体を貸与するための記録媒体貸与処理（精算カード５を使用した玉貸処理）を行うものであり、具体的には、カード残額有りの精算カード５を受け付けている状態であって、後述する貸与許諾情報返信手段（通信部５１）から貸与許諾情報を受信したことを条件として、玉貸ボタン１５が操作されて玉貸操作を受け付けたときに、精算カード５に記録されたカード残額と予め設定された玉貸設定金額（例えば５００円）とを比較して、カード残額≧玉貸設定金額であれば該玉貸設定金額に相当するパチンコ玉の払出を払出制御基板１２に対して指示する処理を行い、カード残額＜玉貸設定金額であれば該カード残額に相当するパチンコ玉の払出を払出制御基板１２に対して指示する処理を行う。
【００３１】
また制御部２２は第１の減算手段の一例であって、前記貸与処理手段（制御部２２）により遊技媒体（パチンコ玉）の貸与に使用される貸与有価価値の大きさ（使用金額）を前記第１の受付価値記憶手段（封入カード４）に記憶された有価価値の大きさ（入金残額）から減算するものであり、具体的には、前記玉貸処理が行われたときに、入金残額≧玉貸設定金額であれば該玉貸設定金額を使用金額として封入カード４に記録された入金残額から減算する処理を行い、入金残額＜玉貸設定金額であれば該入金残額を使用金額として封入カード４に記録された入金残額から減算する処理を行う（即ち入金残額が零になる）。
【００３２】
また制御部２２は、前記貸与処理手段（制御部２２）により遊技媒体（パチンコ玉）の貸与に使用される貸与有価価値の大きさ（使用金額）を前記記録媒体（精算カード５）の記録情報（入金ＩＤ及びカード残額）から特定される有価価値の大きさ（カード残額）から減算するための減算処理を行うものであり、具体的には、前記玉貸処理が行われたときに、カード残額≧玉貸設定金額であれば該玉貸設定金額を使用金額として精算カード５に記録されたカード残額から減算する処理を行い、カード残額＜玉貸設定金額であれば該カード残額を使用金額として精算カード５に記録されたカード残額から減算する処理を行う（即ちカード残額が零になる）。
【００３３】
この制御部２２は、後述する紙幣識別機２３又は硬貨識別機２４により紙幣２又は硬貨３が受け付けられて入金されると、後述する図４のＳ１１において精算カードＲ／Ｗ２６がカード残額有りの精算カード５を受け付けているか否かを判定する。また制御部２２は、図４のＳ３１及び図８のＳ９１に示すように精算カード５が受け付けられたときに、封入カード４に記録されている入金残額が零であるか否かを判定するものであり、精算カード５が受け付けられたときに、該受け付けた精算カード５のカード残額が零であるか否かを判定するものである。さらに制御部２２は、図４のＳ４１に示すように精算カード５が受け付けられたときに、カードユニット２０がシステムコンピュータ５０と通信可能であるか否かを判定するものである。
【００３４】
このカードユニット２０において玉貸処理が行われるときには、該カードユニット２０と対応するパチンコ機１０との間で、以下のような信号のやり取りが行われる。
【００３５】
まずカードユニット２０は、玉貸ボタン１５の操作を制御部２２により検出すると、１度数に相当するパチンコ玉数（例えば消費税を考慮しないのであれば２５個、消費税を考慮するのであれば消費税率に応じて２４個，２３個…等の、具体的な玉数であり、予めシステムコンピュータ５０等により設定され、カードユニット２０に配信されている）である払出要求玉数のパチンコ玉の払出を要求する払出要求信号をパチンコ機１０の払出制御基板１２に対して送信する。
【００３６】
該払出要求信号を受信したパチンコ機１０は、前記払出要求玉数のパチンコ玉の払出を指示する払出信号を払出制御基板１２から玉払出装置１３に対して出力し、これに基づいて、玉払出装置１３から払出要求玉数分のパチンコ玉の払出を行い、該払出の終了に基づいて、実際に払い出したパチンコ玉の数である払出結果玉数を示す払出結果信号をカードユニット２０の制御部２２に対して送信する。
【００３７】
該払出結果信号を受信したカードユニット２０は、前記払出要求信号に示される払出要求玉数と、該払出結果信号に示される払出結果玉数とを照合し、照合ＯＫである場合には、１度数分の前記減算処理として、封入カード４に記録された入金残額又は精算カード５に記録されたカード残額からパチンコ玉の貸与に使用された１度数に相当する金額を減算すると共に、残度数表示器１４に表示された残度数から１度数を減算する。そしてカードユニット２０は、これら１度数分の玉貸処理を玉貸設定度数分だけ繰り返し、該玉貸設定度数分の玉貸処理の終了に基づいて、玉貸終了信号をパチンコ機１０の払出制御基板１２に対して送信し、玉貸処理を終了する。
【００３８】
なおパチンコ機１０において、玉払出装置１３から払い出されたパチンコ玉は、上皿に供給され、発射ハンドルの操作により遊技領域の内部に打ち込まれて、遊技が行われる。そして該打ち込まれたパチンコ玉が、遊技領域に形成された入賞口に入賞すると、払出制御基板１２から発せられる払出信号に基づいて、賞球として玉払出装置１３からパチンコ玉が払い出されて、上皿又は下皿に供給される。
【００３９】
紙幣識別機２３は貨幣受付手段の一例であって、貨幣を受け付けるものであり、ここでは図２（ｂ）に示すように、入金残額及びカード残額が零である状態で、紙幣挿入口２３ａから前記４種類の紙幣２を受け付けて、該受け付けた紙幣２を識別する識別機である。なお紙幣識別機２３により受け付けられた紙幣２は、紙幣通路２３ｂを通じてカードユニット２０の背面から外部に排出され、遊技島に設けられた紙幣搬送機構（図示外）により搬送されて、金庫（図示外）に回収される。
【００４０】
硬貨識別機２４も貨幣受付手段の一例であって、貨幣を受け付けるものであり、ここでは図２（ｂ）に示すように、入金残額及びカード残額が零である状態で、硬貨挿入口２４ａから前記２種類の硬貨３を受け付けて、硬貨通路２４ｂを通じて搬送された硬貨３を識別する識別機である。なお硬貨識別機２４により受け付けられた硬貨３も、硬貨通路２４ｃを通じてカードユニット２０の背面から外部に排出され、遊技島に設けられた硬貨搬送機構（図示外）により搬送されて、金庫（図示外）に回収される。硬貨返却ボタン２４ｅは、硬貨通路２４ｂや硬貨識別機２４において詰まった硬貨３の返却操作を受け付けるためのボタンであり、遊技者により硬貨返却ボタン２４ｅが操作されると、該詰まった硬貨３が硬貨通路２４ｄを通じて硬貨返却口２４ｆに戻る。
【００４１】
封入カードＲ／Ｗ２５は、該封入カードＲ／Ｗ２５の内部に封入されている封入カード４に対して入金ＩＤ及び入金残額を記録する（書き込む）と共に、該封入カード４に記録された入金残額を読み取るものであり、ここでは前記ＩＣカードである封入カード４に対応したＩＣカードＲ／Ｗを備えている。なお封入カードＲ／Ｗ２５の内部に封入されている封入カード４は、封入カード確認窓２５ａを介して遊技者が視認可能であると共に指触不能である。
【００４２】
精算カードＲ／Ｗ２６は、精算カード挿入口２６ａから精算カード５を受け付けて、該受け付けた精算カード５に対して入金ＩＤ及びカード残額を記録する（書き込む）と共に、該精算カード５に記録された入金ＩＤ及びカード残額を読み取るものであり、ここでは前記ＩＣカードである精算カード５に対応したＩＣカードＲ／Ｗを備えている。
【００４３】
この精算カードＲ／Ｗ２６は記録手段の一例であって、カードユニット２０外部からカード残額が無く、入金ＩＤが記録されていない精算カード５を受け付けたときに、該受け付けた精算カード５に、前記第１の受付価値記憶手段（封入カード４）に記憶している有価価値の大きさ（入金残額）と、前記受付価値識別情報記憶手段（封入カード４）に記憶している受付価値識別情報（入金ＩＤ）とを記録する処理を行うものであり、外部から受け付けた精算カード５に、封入カード４が記録している入金残額をカード残額として記録し、該封入カード４が記録している入金ＩＤを記録した後、該精算カード５をカードユニット２０の外部に排出する。
【００４４】
また記録手段として機能する精算カードＲ／Ｗ２６は、管理装置（システムコンピュータ５０）と通信不能な状態で、カード残額が無く、入金ＩＤが記録されていない精算カード５を受け付けたときに、該受け付けた精算カード５に、前記第１の受付価値記憶手段（封入カード４）に記憶している有価価値の大きさ（入金残額）と、前記受付価値識別情報記憶手段に記憶している受付価値識別情報（入金ＩＤ）と共に、管理装置（システムコンピュータ５０）と通信不能な状態である旨を示す通信不能情報を記録する処理を行うものであり、外部から受け付けた精算カード５に、封入カード４が記録している入金残額をカード残額として記録し、該封入カード４が記録している入金ＩＤを記録すると共に、前記通信不能情報も記録して、該精算カード５をカードユニット２０の外部に排出する。
【００４５】
また精算カードＲ／Ｗ２６は、受け付けている精算カード５のカード残額が零になっても、該精算カード５を精算カード挿入口２６ａから排出せずに、精算カードＲ／Ｗ２６の内部に留保（保持）しておくものである。精算カード回収部２６ｂは、カード残額が零である精算カード５（即ちカード残額無しの精算カード５）を前記精算カードＲ／Ｗ２６によって遊技用装置内部に留保している状態で、該留保している精算カード５とは別の精算カード５を受け付けたときに、前記留保を解除して該留保していた精算カード５を回収するものであり、具体的には、該留保していた精算カード５をカードユニット２０の背面方向に搬送して精算カード回収部２６ｂの内部に回収（収納）する。この精算カード回収部２６ｂは、複数枚の精算カード５を回収可能である。
【００４６】
多機能ランプ２７は、予め定められた複数の色のうちのいずれかの色で点灯又は点滅することによってカードユニット２０の状態を報知するランプである。この多機能ランプ２７は、黄色点灯することによりカード残額無しの精算カード５を留保している旨の報知を行う。
【００４７】
システムコンピュータ５０は管理装置の一例であって、遊技場内の所定箇所（例えば管理事務所等）に設けられるものであり、図１に示すように接続される通信部５１，制御部５２，ハードディスク５３，及びディスプレイ５４等を備えている。
【００４８】
通信部５１は、前述の如くカードユニット２０のシステムコンピュータ用通信部２１ａと通信可能に接続されており、システムコンピュータ５０とカードユニット２０との間における通信を司るものであると共に、精算装置６０の後述する通信部６１と通信可能に接続されており、システムコンピュータ５０と精算装置６０との間における通信を司るものであるが、その機能の詳細については後述する。
【００４９】
ハードディスク５３は第２の受付価値記憶手段の一例であって、後述する図４に示すように、受付価値情報送信手段（システムコンピュータ用通信部２１ａ）から受信した受付有価価値の大きさ（入金された金額）と、受付価値識別情報生成手段（制御部５２）により生成された受付価値識別情報（入金ＩＤ）とを対応付けて記憶するものであり、ここでは入金された金額を残額として入金ＩＤと対応付けて記憶する。
【００５０】
制御部５２は、ＣＰＵ，ＲＡＭ，ＲＯＭ等を備えており、ハードディスク５３に記憶されている処理プログラムがＲＡＭを作業領域としてＣＰＵで実行されることにより、システムコンピュータ５０に備えられる各構成要素の動作を制御して各種の処理を行うものである。この制御部５２は受付価値識別情報生成手段の一例であって、受付価値情報送信手段（システムコンピュータ用通信部２１ａ）から受信した受付有価価値の大きさ（入金された金額）を特定するための受付価値識別情報（入金ＩＤ）を生成するものである。
【００５１】
また制御部５２は第２の減算手段の一例であって、貸与価値送信手段（システムコンピュータ用通信部２１ａ）から受信した受付価値識別情報（入金ＩＤ）と対応付けて第２の受付価値記憶手段（ハードディスク５３）に記憶された有価価値の大きさ（残額）から該受付価値識別情報（入金ＩＤ）と共に受信した貸与有価価値の大きさ（使用金額）を減算するものである。
【００５２】
また制御部５２は判定手段の一例であって、精算許諾要求送信手段（システムコンピュータ用通信部２１ａ）から受信した精算許諾要求に含まれる有価価値の大きさ（カード残額）が、該受信した精算許諾要求に含まれる受付価値識別情報（入金ＩＤ）と対応付けて第２の受付価値記憶手段（ハードディスク５３）に記憶されている有価価値の大きさ（残額）以下であるか否かを判定するものである。
【００５３】
また判定手段として機能する制御部５２は、貸与許諾要求送信手段（システムコンピュータ用通信部２１ａ）から受信した貸与許諾要求に含まれる有価価値の大きさ（使用金額）が、該受信した貸与許諾要求に含まれる受付価値識別情報（入金ＩＤ）と対応付けて第２の受付価値記憶手段（ハードディスク５３）に記憶されている有価価値の大きさ（残額）以下であるか否かを判定するものである。
【００５４】
さらに制御部５２は集計手段の一例であって、後述する精算許諾要求送信手段（通信部６１）から受信した精算許諾要求が通信不能情報を含んでいることを条件として、該精算許諾要求に含まれる有価価値の大きさ（カード残額）を集計するものである。
【００５５】
ここで通信部５１は受付価値識別情報送信手段の一例であって、受付価値識別情報生成手段（制御部５２）により生成された受付価値識別情報（入金ＩＤ）を、受付有価価値の大きさ（入金された金額）の送信元である遊技用装置（カードユニット２０）に対して送信するものである。
【００５６】
また通信部５１は精算許諾情報返信手段の一例であって、判定手段（制御部５２）により、後述する精算許諾要求送信手段（通信部６１）から受信した精算許諾要求に含まれる有価価値の大きさ（カード残額）が、該受信した精算許諾要求に含まれる受付価値識別情報（入金ＩＤ）と対応付けて第２の受付価値記憶手段（ハードディスク５３）に記憶されている有価価値の大きさ（残額）以下であると判定されたことを条件として、精算を許諾する旨を示す精算許諾情報を前記精算許諾要求の送信元である精算装置６０に対して返信するものである。
【００５７】
さらに通信部５１は貸与許諾情報返信手段の一例であって、判定手段（制御部５２）により、貸与許諾要求送信手段（システムコンピュータ用通信部２１ａ）から受信した貸与許諾要求に含まれる有価価値の大きさ（使用金額）が、該受信した貸与許諾要求に含まれる受付価値識別情報（入金ＩＤ）と対応付けて前記第２の受付価値記憶手段（ハードディスク５３）に記憶されている有価価値の大きさ（残額）以下であると判定されたことを条件として、前記遊技媒体（パチンコ玉）の貸与を許諾する旨を示す貸与許諾情報を前記貸与許諾要求の送信元である遊技用装置（カードユニット２０）に対して返信するものである。
【００５８】
ディスプレイ５４は、各種の情報を表示するための表示デバイスであり、例えば液晶ディスプレイである。このディスプレイ５４は報知手段の一例であって、遊技用装置（カードユニット２０）と管理装置（システムコンピュータ５０）が通信不能な状態である旨を報知するものである。
【００５９】
精算装置６０は、遊技場内の所定箇所（例えば遊技島の端部や景品交換カウンタの近傍等）に設けられ、図３（ａ）に示すように、キオスク端末型の形状を呈するものであり、その前面に精算カード挿入口６３ａ，紙幣払出口６５ａ，硬貨払出口６６ａ，及びディスプレイ６４等を備え、図１に示すように、その内部に通信部６１，制御部６２，精算カードＲ／Ｗ６３，紙幣払出機６５，及び硬貨払出機６６等を備えており、これらの各構成要素は図１に示すように接続されている。
【００６０】
通信部６１は、システムコンピュータ５０の通信部５１と通信可能に接続されており、精算装置６０とシステムコンピュータ５０との間における通信を司るものである。この通信部６１は精算許諾要求送信手段の一例であって、後述する図５に示すように、入金ＩＤとカード残額とが記録された精算カード５を受け付けたときに、該受け付けた精算カード５から読み取ったカード残額と入金ＩＤとを含む精算許諾要求をシステムコンピュータ５０に対して送信するものである。また精算許諾要求送信手段として機能する通信部６１は、後述する図６に示すように、入金ＩＤとカード残額と共に、通信不能情報が記録された精算カード５を受け付けたときに、該受け付けた精算カード５から読み取ったカード残額と入金ＩＤに加え、該受け付けた精算カード５から読み取った通信不能情報をさらに含む精算許諾要求を前記システムコンピュータ５０に対して送信するものである。
【００６１】
制御部６２は、ＣＰＵ，ＲＡＭ，ＲＯＭ等を備えており、ＲＯＭに記憶されている処理プログラムがＲＡＭを作業領域としてＣＰＵで実行されることにより、精算装置６０に備えられる各構成要素の動作を制御して各種の処理を行うものである。
【００６２】
精算カードＲ／Ｗ６３は、精算カード挿入口６３ａから精算カード５を受け付けて、該精算カード５に記録された入金ＩＤ及びカード残額（並びに通信不能情報が記録されている場合には該通信不能情報）を読み取ると共に、該受け付けた精算カード５から入金ＩＤ及びカード残額（並びに通信不能情報が記録されている場合には該通信不能情報）を消去するものであり、ここでは前記ＩＣカードである精算カード５に対応したＩＣカードＲ／Ｗを備えている。
【００６３】
精算カード回収部６３ｂは、精算カードＲ／Ｗ６３により受け付けている精算カード５から入金ＩＤ及びカード残額（並びに通信不能情報が記録されている場合には該通信不能情報）が消去されたときに、該受け付けている精算カード５を回収するものであり、具体的には、該受け付けている精算カード５を精算装置６０の背面方向に搬送して精算カード回収部６３ｂの内部に回収（収納）する。この精算カード回収部６３ｂは、複数枚の精算カード５を回収可能である。
【００６４】
ディスプレイ６４は、図３（ｂ）に示すように、各種の情報を表示するための表示デバイスである。このディスプレイ６４では、精算カード５を受付可能なときに、Ｄ１に示すように、精算カード５の挿入を促す旨が表示される。また後述する図５又は図６において貨幣を返却するときに、Ｄ２に示すように、残額を返却する旨，及び精算カード５を回収する旨が表示される。なお図５のＳ７４又は図６のＳ８５に示す処理において精算カード５に記録されたカード残額≦ハードディスク５３に記憶されている残額でないときには、Ｄ３に示すように、精算カード５に異常がある旨が表示される。
【００６５】
紙幣払出機６５及び硬貨払出機６６は、精算許諾情報送信手段から精算許諾情報が返信されてきたことを条件として、カード残額に相当する金額の貨幣を遊技者に返却するものであり、具体的には、紙幣払出機６５の背後に設けられる紙幣収納部６５ｂから所定数の紙幣２を取り出して紙幣払出口６５ａから払い出すと共に、硬貨払出機６６の上部に設けられる硬貨収納部６６ｂから所定数の硬貨３を取り出して硬貨払出口６６ａから払い出す。
【００６６】
以上に説明した遊技用システム１の作用について説明する。まず図４を参照して、貨幣を受け付けて玉貸処理を行うときのカードユニット２０とシステムコンピュータ５０の作用について説明する。まず入金残額が零であるカードユニット２０において、紙幣識別機２３又は硬貨識別機２４により紙幣２又は硬貨３が受け付けられて入金（ここでは10000円）がされると、精算カードＲ／Ｗ２６がカード残額有りの精算カード５を受け付けているか否か（即ち精算カード５のカード残額を使用して遊技が行われているか否か）を制御部２２により判定する（Ｓ１１）。ここではカード残額有りの精算カード５を受け付けていないと判定されるので、該入金された金額を入金残額として封入カード４に記録して（Ｓ１２）、該入金残額に相当する残度数を残度数表示器１４に表示し、前記入金された金額を特定可能な情報をカードユニット２０からシステムコンピュータ５０に対して送信する（Ｓ１３）。なお、Ｓ１１において制御部２２により精算カードＲ／Ｗ２６がカード残額有りの精算カード５を受け付けている（即ち精算カード５のカード残額を使用して遊技が行われている）と判定されたときには、紙幣識別機２３又は硬貨識別機２４により入金された紙幣２又は硬貨３が返却される。
【００６７】
次に該入金された金額を特定可能な情報を受信したシステムコンピュータ５０においては、該入金された金額を特定するための入金ＩＤを制御部５２により生成して（Ｓ１４）、該生成した入金ＩＤと対応付けて前記入金された金額を残額としてハードディスク５３に記憶し（Ｓ１５）、前記生成した入金ＩＤをシステムコンピュータ５０から送信元のカードユニット２０に対して送信する（Ｓ１６）。そして該生成した入金ＩＤを受信したカードユニット２０においては、該受信した入金ＩＤを封入カード４に記録する（Ｓ１７）。
【００６８】
次にカードユニット２０において、玉貸ボタン１５が操作されて玉貸操作が受け付けられると（Ｓ２１）、入金残額を使用した前記玉貸処理を貸与処理手段である制御部２２によって行い、封入カード４に記録された入金残額からパチンコ玉の貸与に使用された使用金額（ここでは500円）を減算する減算処理を第１の減算手段である制御部２２により行って（Ｓ２２）、残度数表示器１４に表示された残度数から使用金額に相当する度数を減算し、入金ＩＤと使用金額を特定可能な情報とをカードユニット２０からシステムコンピュータ５０に対して送信する（Ｓ２３）。そして該入金ＩＤと使用金額を特定可能な情報とを受信したシステムコンピュータ５０においては、該受信した入金ＩＤと対応付けてハードディスク５３に記憶されている残額から該受信した使用金額を減算する減算処理を第２の減算手段である制御部５２により行う（Ｓ２４）。
【００６９】
次にカードユニット２０において、精算カードＲ／Ｗ２６により精算カード５（ここではカード残額が零のものとする）が受け付けられると、残額の有無を制御部２２により判定する（Ｓ３１）。ここでは封入カード４に入金残額が記録されており（即ち入金残額有り）、かつ精算カード５にカード残額が記録されていない（即ちカード残額無し）と判定される。さらに制御部２２によりカードユニット２０がシステムコンピュータ５０と通信可能な状態であるか否か（即ちオンライン状態であるかオフライン状態か）が判定される（Ｓ４１）。
【００７０】
Ｓ４１において制御部２２によりカードユニット２０とシステムコンピュータ５０が通信可能（オンライン状態）であると判定されたときには、図５のＳ５１に示すように記録手段である精算カードＲ／Ｗ２６が封入カード４に記録された入金ＩＤと入金残額とを精算カード５に記録し（入金残額はカード残額として記録される）、封入カード４の記録内容を消去すると共に残度数表示器１４に表示されている残度数を零クリアして、カード残額有りの精算カード５を精算カード挿入口２６ａから排出して遊技者に返却する（Ｓ５２）。
【００７１】
次に、Ｓ４１において制御部２２によりカードユニット２０とシステムコンピュータ５０が通信不能（オフライン状態）であると判定されたときの処理について説明する。ただしオフライン状態では、図４のＳ１１に示す入金の受付が行われないので、ここでは、オンライン状態で図４のＳ１１〜Ｓ１７に示す処理が行われた後にオフライン状態となった場合の処理について説明する。制御部２２によりＳ４１においてカードユニット２０とシステムコンピュータ５０が通信不能（オフライン状態）であると判定されたときには、図６のＳ６１に示すように記録手段である精算カードＲ／Ｗ２６が封入カード４に記録された入金ＩＤと入金残額とを精算カード５に記録し、さらにカードユニット２０とシステムコンピュータ５０が通信不能な状態（オフライン状態）である旨を示す通信不能情報も記録する（Ｓ６１）。続けて封入カード４の記録内容を消去すると共に残度数表示器１４に表示されている残度数を零クリアして、カード残額有りの精算カード５を精算カード挿入口２６ａから排出して遊技者に返却する（Ｓ６２）。
【００７２】
なお、本実施形態においては、オフライン状態においても、オンライン状態で入金された入金金額についての残額（入金残額）に基づく玉貸処理は可能とされており、この場合、玉貸処理毎に、使用金額が封入カード４に記録された入金残額からのみ減算される。このときカード残額無しの精算カード５を受け付けると、該封入カード４に記録されている入金ＩＤと入金残額（減算後の入金残額）が受け付けた精算カード５に記録され、カード残額有りの精算カード５が精算カード挿入口２６ａから排出されて遊技者に返却される。
【００７３】
次に図５及び図６を参照して、精算装置６０とシステムコンピュータ５０の作用について説明する。まず図５に示すように、Ｓ５１においてオンライン状態でカード残額が記録された精算カード５（ここでは入金ＩＤがN00001でカード残額が9500円のもの）が精算カードＲ／Ｗ６３により受け付けられる（Ｓ７１）と、精算カード５から入金ＩＤとカード残額を読み取り（Ｓ７２）、システムコンピュータ５０に対して、カード残額と入金ＩＤとを含む精算許諾要求を送信する（Ｓ７３）。ここでシステムコンピュータ５０のハードディスク５３には、入金ＩＤと対応付けて残額が記憶されている。
【００７４】
該精算許諾要求を受信したシステムコンピュータ５０においては、該受信したカード残額と、該受信した入金ＩＤと対応付けてハードディスク５３に記憶されている残額との照合を行い（Ｓ７４）、照合ＯＫ（即ち受信したカード残額≦記憶されている残額）であることを条件として、精算装置６０に対して、精算許諾情報を返信する（Ｓ７５）。さらに、ハードディスク５３に記憶された入金ＩＤと残額が消去される。
【００７５】
該精算許諾情報を受信した精算装置６０においては、前記読み取ったカード残額に相当する金額の貨幣を紙幣払出機６５及び／又は硬貨払出機６６から払い出して遊技者に返却し（Ｓ７６）、精算カード５から入金ＩＤとカード残額を消去して、該精算カード５を精算カード回収部６３ｂの内部に回収する（Ｓ７７）。
【００７６】
これによれば、入金残額を遊技者に対して返却するにあたり、精算装置６０が精算カード５から読み取ったカード残額が、該精算カード５から読み取った入金ＩＤと対応付けてシステムコンピュータ５０側で記憶されている残額以下であると判定されたことを条件として精算を許諾するので、精算カード５に記録されたカード残額を書き換える等の不正が行われた場合にも、システムコンピュータ５０側で管理している残額より大きい金額の貨幣が精算装置６０によって払い出されることがなく、遊技場側に損害が発生することを防止できる。
【００７７】
一方、図６に示すように、Ｓ６１においてオフライン状態でカード残額，入金ＩＤ（ここでは入金ＩＤがN00001でカード残額が9500円），及び通信不能情報が記録された精算カード５が精算カードＲ／Ｗ６３により受け付けられる（Ｓ８１と、精算カード５から入金ＩＤとカード残額と通信不能情報を読み取り（Ｓ８２）、システムコンピュータ５０に対して、該読み取ったカード残額と入金ＩＤと通信不能情報を含む精算許諾要求を送信する（Ｓ８３）。ここでシステムコンピュータ５０のハードディスク５３には、入金ＩＤと対応付けて残額が記憶されている。
【００７８】
該精算許諾要求を受信したシステムコンピュータ５０においては、受信した精算許諾要求が通信不能情報を含んでいるため、集計手段である制御部５２により該精算許諾要求に含まれるカード残額を集計する（Ｓ８４）。具体的には、受信した入金ＩＤ，受信したカード残額，及び該受信した入金ＩＤの送信先であったカードユニット２０を特定可能なユニットＩＤを時系列のログとしてハードディスク５３に記憶する（図７）。またハードディスク５３は、図７に示すように、受信したカード残額の合計金額も記憶している。即ち、通信不能情報が記録された精算カード５を精算装置６０が受け付けたときに、システムコンピュータ５０において該精算カード５に記録されているカード残額を集計するので、オフライン状態のときに精算カード５に記録されたカード残額について精算を行おうとした履歴、及び該精算カード５で精算を行おうとした金額を把握することが可能であり、その頻度，金額の大小，及びユニットＩＤ等を確認することによって不正発見や不正防止に役立つ。
【００７９】
さらに該精算許諾要求を受信したシステムコンピュータ５０においては、制御部５２が該受信したカード残額と、該受信した入金ＩＤと対応付けてハードディスク５３に記憶されている残額との照合を行い（Ｓ８５）、照合ＯＫ（即ち受信したカード残額≦記憶されている残額）であることを条件として、精算装置６０に対して、精算許諾情報を返信する（Ｓ８６）。なお、照合ＮＧ（即ち受信したカード残額＞記憶されている残額）であるときには、該照合ＮＧである旨を精算装置６０に対して返信する。照合ＮＧである旨を受信した精算装置６０においては、貨幣の払出が行われずに受け付けている精算カード５が返却される。
【００８０】
該精算許諾情報を受信した精算装置６０においては、前記読み取ったカード残額に相当する金額の貨幣を紙幣払出機６５及び／又は硬貨払出機６６から払い出して遊技者に返却し（Ｓ８７）、精算カード５から入金ＩＤ，カード残額，及び通信不能情報を消去して、該精算カード５を精算カード回収部６３ｂの内部に回収する（Ｓ８８）。
【００８１】
次に、遊技者が、図５のＳ５２又は図６のＳ６２のようにしてカードユニット２０から排出されたカード残額有りの精算カード５に記録されたカード残額を使用して遊技を行う際の処理を図８を用いて説明する。封入カード４に入金残額が無い状態で、遊技者が残額有りの精算カード５（ここでは入金ＩＤがN00002でカード残額が1500円のもの）を受け付けると（Ｓ９１）、制御部２２によって封入カード４に入金残額が無く、受け付けた精算カード５にカード残額が有ることが判定され、さらに制御部２２によってカードユニット２０とシステムコンピュータ５０が通信可能である（オンライン状態である）ことが判定された後、精算カードＲ／Ｗ２６により読み取った入金ＩＤとカード残額を特定可能な情報とを含む貸与許諾要求をカードユニット２０からシステムコンピュータ５０に対して送信する（Ｓ９２）。なおカードユニット２０がオフライン状態のときには、Ｓ９１において制御部２２によりカードユニット２０とシステムコンピュータ５０が通信不能と判定され、貸与許諾要求が送信不能なためカード残額を使用した玉貸処理は行われず、精算カード５を精算カード挿入口２６ａから排出する。また、Ｓ９１において制御部２２が入金残額が有ると判定したとき（即ち図４のＳ３１のように入金残額有りの状態でカード残額有りの精算カード５を受け付けたとき）にも、制御部２２が該受け付けた残額有りの精算カード５を精算カード挿入口２６ａから排出する。
【００８２】
次に該入金ＩＤとカード残額を特定可能な情報を含む貸与許諾要求を受信したシステムコンピュータ５０においては、該受信した入金ＩＤに基づいて、該受信したカード残額と前記ハードディスク５３に記憶されている残額とを照合し（Ｓ９３）、照合ＯＫ（ここでは受信したカード残額≦ハードディスク５３に記憶されている残額）であることを条件として、照合ＯＫを示す貸与許諾情報をシステムコンピュータ５０から送信元のカードユニット２０に対して送信する（Ｓ９４）。そして貸与許諾情報を受信したカードユニット２０においては、玉貸操作を受付可能な状態となり（Ｓ９５）、前記読み取ったカード残額に相当する残度数を残度数表示器１４に表示する。なお、照合ＯＫであって、カード残額＜ハードディスク５３に記憶されている残額であるときには、ハードディスク５３に記憶されている残額がカード残額に書き換えられ（即ち小さい方の残額に書き換えられ）、カード残額＝ハードディスク５３に記憶されている残額となる。なお、照合ＮＧ（即ち受信したカード残額＞ハードディスク５３に記憶されている残額）であるときには、該照合ＮＧである旨を貸与許諾要求の送信元であるカードユニット２０に対して返信する。照合ＮＧである旨を受信したカードユニット２０においては、玉貸処理が行われずに受け付けている精算カード５が返却される。
【００８３】
次にカードユニット２０において、玉貸ボタン１５が操作されて玉貸操作が受け付けられると（Ｓ１０１）、カード残額を使用した玉貸処理である記録媒体貸与処理を貸与処理手段である制御部２２によって行い、精算カード５に記録されたカード残額からパチンコ玉の貸与に使用された使用金額（ここでは500円）を減算する減算処理を制御部２２により行って（Ｓ１０２）、記録されているカード残額を更新する。残度数表示器１４に表示された残度数から使用金額に相当する度数を減算し、入金ＩＤと使用金額を特定可能な情報とをカードユニット２０からシステムコンピュータ５０に対して送信する（Ｓ１０３）。そして該入金ＩＤと使用金額を特定可能な情報とを受信したシステムコンピュータ５０においては、該受信した入金ＩＤと対応付けてハードディスク５３に記憶されている残額から該受信した使用金額を減算する（Ｓ１０４）。
【００８４】
ここで、Ｓ１０２において減算処理後に受け付けている精算カード５に記録されているカード残額が零になると、該受け付けている精算カード５を遊技用装置内部に留保し、カード残額無しの精算カード５を留保している旨の報知を、多機能ランプ２７を黄色点灯することにより開始する。このようにして残額無しの精算カード５が留保されている状態では、次回に入金を受け付けて、入金残額を返却する際に、該留保している精算カード５に入金残額と入金ＩＤが記録されるため、カード残額無しの精算カード５を挿入しなくても入金残額の返却が可能となる。また、多機能ランプ２７によってカード残額無しの精算カード５の留保を報知することで、カード残額無しの精算カード５を挿入しなくても入金残額の返却が可能な状態であることを遊技者に対して確実に認識させることができるので、遊技者が無駄に精算カード５の発行を受けることが防止できる。  
【００８５】
このように、精算カード５に記録されているカード残額を貸与処理に使用可能なので、遊技者が他の遊技機で遊技を行う際に、一旦精算を行って該精算により得た貨幣を再び入金するという手間が省け、遊技者の利便性を向上できる。
【００８６】
また、本実施形態の発明においては、カードユニット２０とシステムコンピュータ５０がオフライン状態であっても、オンライン状態における入金分については、当該オフライン状態のカードユニット２０において玉貸が可能であるため、オフライン状態において玉貸が禁止される場合に比べ遊技場の売上低下を抑制できる。また、オフライン状態においても、カード残額が無く、入金ＩＤの記録されていない精算カード５をカードユニット２０に挿入することで、入金残額及び入金ＩＤが当該精算カード５に記録されて遊技者に返却されるため、オフライン状態のために入金残額が返却されないといった不都合を遊技者に与えることがない一方で、オフライン状態において精算カード５に記録されたカード残額を精算したり、当該カード残額に基づいて玉貸を実施したりする場合には、精算カード５のカード残額が管理装置（システムコンピュータ５０）で管理している残額以下であるときにのみ、精算や玉貸が可能となるため、カード残額の書き換え等の不正により遊技場が損失を被ることを防止できる。
【００８７】
なお、システムコンピュータ５０の通信部５１からは、該通信部５１と接続された各カードユニット２０のシステムコンピュータ用通信部２１ａに対して定期的に通信可能か否かを確認するための信号が送信され、該送信された信号に応じて各カードユニット２０から返信される信号に基づいて各カードユニット２０が通信可能であるか否か（オンライン状態であるかオフライン状態であるか）が制御部５２によって判定されている（具体的には所定時間（例えば１０秒）内に返信がなければオフライン状態と判定する）。従ってシステムコンピュータ５０側でいずれのカードユニット２０が通信不能であるか否かを一括して管理可能であり、前記判定結果は例えば図９に示すように報知手段であるディスプレイ５４に表示され、遊技場の店員がこれを確認することによりオフライン状態であるカードユニット２０に対して迅速な対応を行うことができる。
【００８８】
また、カードユニット２０自体も前記通信可能か否かを確認するための信号を定期的に受信するか否かを監視することにより、システムコンピュータ５０と通信不能であるか否かを監視しており、システムコンピュータ５０と通信不能である（即ちオフライン状態である）ことを検出すると、多機能ランプ２７を赤で点灯させて、該オフライン状態である旨を報知する。
【００８９】
最後に、本発明の変形例について説明する。
【００９０】
上記の実施形態では、第１の受付価値記憶手段及び受付価値識別情報記憶手段が封入カード４である例について説明したが、これに限らず、該第１の受付価値記憶手段は、例えば遊技用装置（カードユニット２０）の制御部２２に設けられたＲＡＭであっても良く、この場合には、封入カード４に入金残額や入金ＩＤを記録しなくても良い。
【００９１】
上記の実施形態では、図２に示すように、紙幣識別機２３にて受付可能な紙幣２の種類が1000円紙幣，2000円紙幣，5000円紙幣，及び10000円紙幣の４種類である例について説明したが、これに限らず、受付可能な紙幣２の種類は、該４種類のうちの任意の１種類又は２種類以上でも良い。同様に、上記の実施形態では、硬貨識別機２４にて受付可能な硬貨３の種類が100円硬貨，及び500円硬貨の２種類である例について説明したが、これに限らず、受付可能な硬貨３の種類は、該２種類のうちの任意の１種類でも良い。なお貨幣として紙幣２及び硬貨３の双方を受け付けるものには限られず、紙幣２又は硬貨３のいずれか一方のみを受け付けるものでも良い。
【００９２】
上記の実施形態では、図２に示すように、貨幣受付手段（紙幣識別機２３、硬貨識別機２４）により受け付けられた貨幣（紙幣２，硬貨３）が遊技用装置（カードユニット２０）外部に排出されて、紙幣搬送機構，硬貨搬送機構により搬送される例について説明したが、これに限らず、該受け付けられた貨幣は、遊技用装置内部に貯留されるようにしても良い。
【００９３】
上記の実施形態では、図２に示すように、貨幣受付手段（紙幣識別機２３、硬貨識別機２４）において、有体物である貨幣（紙幣２，硬貨３）を受け付ける例について説明したが、これに限らず、無体物である貨幣（例えば電子マネー等の貨幣金額に相当する金額データや、クレジットカードから特定される与信金額や、デビットカードから特定される預金金額等）を接触又は非接触で受け付けるようにしても良い。
【００９４】
上記の実施形態では、貨幣受付手段（紙幣識別機２３、硬貨識別機２４）により受け付けた貨幣の金額が受付有価価値の大きさとして受付価値情報送信手段（システムコンピュータ用通信部２１ａ）によりシステムコンピュータ５０に送信される例について説明したが、これに限らず、例えば貨幣受付手段（紙幣識別機２３、硬貨識別機２４）により受け付けた貨幣の金額（例えば10000円）のうち、一部の金額（例えば1000円）が自動的に遊技媒体（パチンコ玉）の貸与処理に使用され、残りの金額（例えば9000円）が受付有価価値の大きさとしてシステムコンピュータ５０に送信されても良い。即ち、受付価値情報送信手段（ここではシステムコンピュータ用通信部２１ａ）は、貨幣受付手段（紙幣識別機２３、硬貨識別機２４）により受け付けた貨幣の金額（例えば10000円）の少なくとも一部（例えば9000円）に相当する受付有価価値の大きさを遊技用装置外部に送信するものである。
【００９５】
上記の実施形態では、封入カード４が非接触式のＩＣカードである例について説明したが、これに限らず、該封入カード４は、接触式の集積回路，磁気，二次元コード（例えばバーコード），三次元コード，又は光干渉（例えばホログラム）等により情報を記録するものでも良い。
【００９６】
上記の実施形態では、記録媒体（精算カード５）が非接触式のＩＣカードである例について説明したが、これに限らず、該記録媒体は、接触式の集積回路，磁気，二次元コード（例えばバーコード），三次元コード，又は光干渉（例えばホログラム）等により情報を記録するものでも良い。また記録媒体の形状はカード型には限られず、コイン型であっても良い。
【００９７】
上記の実施形態では、遊技機がパチンコ機１０である例について説明したが、これに限らず、該遊技機は、例えば遊技媒体としてメダルを使用するスロットマシン，遊技媒体としてパチンコ玉を使用するスロットマシンであるパチロット，遊技媒体であるパチンコ玉が指触不能に封入された封入式のパチンコ機，パチンコ玉やメダルを用いることなく得点データを使用して遊技可能なパチンコ機やスロットマシン，遊技領域やパチンコ玉が画像にて表示される画像式のパチンコ機，リールが画像にて表示される画像式のスロットマシン等であっても良い。
【００９８】
上記の実施形態では、遊技用装置（カードユニット２０）において玉貸処理が行われるときに、１度数に相当するパチンコ玉数（例えば消費税を考慮しないのであれば２５個、消費税を考慮するのであれば消費税率に応じて２４個，２３個…等の、具体的な玉数）である払出要求玉数のパチンコ玉の払出を要求する払出要求信号がパチンコ機１０に対して送信される例について説明したが、該玉貸処理は、例えば以下の変形例１又は変形例２に示す如く行われるようにしても良い。
【００９９】
まず変形例１として、パチンコ機１０において、遊技用装置からの１回の払出要求に応じて払い出すパチンコ玉の数（以下「単位払出数」という。）を設定変更可能に構成すると共に、遊技用装置において、該設定された単位払出数を予め記憶可能に構成した場合には、以下のようにして玉貸処理を行う。まず遊技用装置は、玉貸ボタン１５の操作を制御部２２により検出すると、パチンコ玉の払出を要求する払出要求信号（具体的な払出要求玉数は示さない信号）を払出制御基板１２に対して送信する。該払出要求信号を受信したパチンコ機１０は、前記単位払出数のパチンコ玉の払出を指示する払出信号を払出制御基板１２から玉払出装置１３に対して出力し、これに基づいて、玉払出装置１３から単位払出数分のパチンコ玉の払出を行い、該払出の終了に基づいて、実際に払い出したパチンコ玉の数である払出結果玉数を示す払出結果信号を制御部２２に対して送信する。該払出結果信号を受信した遊技用装置は、前記予め記憶している単位払出数と、該払出結果信号に示される払出結果玉数とを照合し、照合ＯＫである場合には、前記１度数分の減算処理を行い、その後、前記玉貸設定度数分の玉貸処理を行う。
【０１００】
ここで払出結果玉数を示す払出結果信号は、パチンコ機１０の払出制御基板１２から出力されるようにしても良いし、払い出されたパチンコ玉の数を検出する図示しない払出検出センサから出力されるようにしても良い。また遊技用装置において予め記憶しておく単位払出数は、カード会社の管理装置や遊技場の管理装置（システムコンピュータ５０）で設定し、遊技用装置に配信して記憶するようにすれば良い。そして、例えば前記単位払出数と払出結果玉数との照合ＮＧの場合に、遊技用装置を不能動化するように構成すれば、遊技場が実際の申告よりも小さい単位払出数をパチンコ機１０において設定するような不正を防止できる。
【０１０１】
また変形例２として、前記単位払出数が一定（例えば２５個）である場合には、以下のようにして玉貸処理を行う。まず遊技用装置は、玉貸ボタン１５の操作を制御部２２により検出すると、パチンコ玉の払出を要求する払出要求信号（具体的な払出要求玉数は示さない信号）を払出制御基板１２に対して送信する。該払出要求信号を受信したパチンコ機１０は、玉払出装置１３からパチンコ玉の払出が可能であるか否かを確認し、該確認結果が可能である場合には、玉貸準備信号を制御部２２に対して送信する。該玉貸準備信号を検出した遊技用装置は、玉貸指令信号を払出制御基板１２に対して送信し、該玉貸指令信号を受信したパチンコ機１０は、前記単位払出数のパチンコ玉の払出を指示する払出信号を払出制御基板１２から玉払出装置１３に対して出力し、これに基づいて、玉払出装置１３から単位払出数分のパチンコ玉の払出を行い、該払出の終了に基づいて、１度数分の玉貸処理の完了を示す玉貸完了信号を制御部２２に対して送信する。該払出結果信号を受信した遊技用装置は、前記１度数分の減算処理を行い、その後、前記玉貸設定度数分の玉貸処理を行う。
【０１０２】
上記の実施形態では、遊技媒体を貸与するための貸与処理や記録媒体貸与処理が、パチンコ玉を貸与する玉貸処理である例について説明したが、これに限らず、該貸与処理や記録媒体貸与処理は、前記メダルを貸与するメダル貸出処理や、前記画像式のパチンコ機やスロットマシンにおいて有価価値の大きさを遊技媒体としての得点に変換して遊技に使用させる処理等でも良い。
【０１０３】
上記の実施形態では、玉貸処理が行われた場合に、遊技用装置（カードユニット２０）と遊技機（パチンコ機１０）との間でパチンコ玉の貸与に関する信号のやり取りが行われて、該遊技機に設けられた玉払出装置１３からパチンコ玉が払い出されて貸与される例について説明したが、これに限らず、遊技用装置に設けられた図示しない玉払出装置からパチンコ玉が払い出されて貸与されるようにしても良い。
【０１０４】
上記の実施形態では、図２に示すように、残度数表示器１４，玉貸ボタン１５，及び精算カード返却ボタン１６が遊技機（パチンコ機１０）に設けられ、遊技用装置（カードユニット２０）と接続されている例について説明したが、これに限らず、これら残度数表示器１４，玉貸ボタン１５，及び精算カード返却ボタン１６の一部又は全部を遊技用装置に設けるようにしても良い。
【０１０５】
上記の実施形態では、入金残額及びカード残額が零である状態で貨幣（紙幣２及び／又は硬貨３）を受付可能である例について説明したが、これに限らず、入金残額が零でない場合や、カード残額が零でない場合にも、貨幣を受付可能としても良い。
【０１０６】
上記の実施形態では、図２（ｃ）に示すように、精算カード回収部２６ｂが精算カードＲ／Ｗ２６の後方に設けられる例について説明したが、これに限らず、該精算カード回収部を精算カードＲ／Ｗ２６，２６の下方に設け、精算カードＲ／Ｗ２６にて受け付けられていた精算カード５を下方に落下して回収するようにしても良い。
【０１０７】
上記の実施形態では、受け付けている精算カード５に記録されているカード残額が零になると、該受け付けている精算カード５を遊技用装置内部に留保する例について説明したが、これに限らず、受け付けている精算カード５に記録されているカード残額が零になると、該受け付けている精算カード５を精算カード挿入口２６ａから外部に排出しても良く、また、精算カード回収部２６ｂの内部に回収（収納）しても良い。
【０１０８】
上記の実施形態では、有価価値の大きさとして金額自体が記憶・管理されている例について説明したが、これに限らず、該有価価値の大きさとして、該金額が所定の比率で換算された残度数や点数等が記憶・管理されるようにしても良い。
【０１０９】
上記の実施形態では、システムコンピュータ５０の制御部５２によって各カードユニット２０が通信可能であるかが判定され、報知手段として機能するディスプレイ５４によってオフライン状態であるカードユニット２０を確認することができると共に、カードユニット２０の多機能ランプ２７が赤で点灯することによって、オフライン状態である旨を報知する（即ち報知手段として機能する）例について説明したが、これに限らず、報知手段はディスプレイ５４又は多機能ランプ２７のいずれか一方でも良い。また、報知手段は遊技機（パチンコ機１０）に対応して設けられる呼出ランプ装置であっても良い。例えば、図４のＳ４１において制御部２２がオフライン状態と判定したときに、呼出ランプ装置の呼出ランプが所定の態様で点灯することによってオフライン状態であることを報知するものであっても良い。また、上記実施形態におけるディスプレイ５４，多機能ランプ２７，及び前記呼出ランプ装置のいずれによりオフライン状態の報知が行われても良く、これらの組み合わせによって該報知が行われても良い。さらに、別の装置でオフライン状態の報知が行われても良く、遊技場の店員がオフライン状態である旨を確認可能な報知態様であれば良い。
【図面の簡単な説明】
【０１１０】
【図１】図１は本発明に係る遊技用システムの一例を表す機能ブロック図である。
【図２】図２（ａ）はカードユニット及びパチンコ機の正面図であり、図２（ｂ）はカードユニットの断面右側面図であり、図２（ｃ）はＸ−Ｘ線断面図である。
【図３】図３（ａ）は精算装置の斜視図であり、図３（ｂ）は精算装置に設けられたディスプレイの表示内容の一例を表す図である。
【図４】図４はカードユニットが入金を受け付けたときの作用の一例を表す図である。
【図５】図５はカードユニットがオンライン状態と判定されたときの作用の一例を表す図である。
【図６】図６はカードユニットがオフライン状態と判定されたときの作用の一例を表す図である。
【図７】図７は通信不能情報読み取り時にハードディスクが記憶するログの一例を表す図である。
【図８】図８はカードユニットがカード残額有りの精算カードを受け付けたときの作用の一例を表す図である。
【図９】図９はシステムコンピュータに設けられたディスプレイに表示される表示画面の一例を表す図である。
【符号の説明】
【０１１１】
１…遊技用システム
２…紙幣
３…硬貨
４…封入カード
５…精算カード
１０…パチンコ機
２０…カードユニット
２１ａ…システムコンピュータ用通信部
２２…制御部
２３…紙幣識別機
２４…硬貨識別機
２６…精算カードＲ／Ｗ
５０…システムコンピュータ
５１…通信部
５２…制御部
５３…ハードディスク
５４…ディスプレイ
６０…精算装置
６１…通信部
６２…制御部
【図１】
2005118167.tif 000003
【図２】
2005118167.tif 000004
【図３】
2005118167.tif 000005
【図４】
2005118167.tif 000006
【図５】
2005118167.tif 000007
【図６】
2005118167.tif 000008
【図７】
2005118167.tif 000009
【図８】
2005118167.tif 000010
【図９】
2005118167.tif 000011